(57)【要約】      （修正有）【課題】タイトフレームの使用を不要にして効率的な施工を実現し、耐風圧性能の改善された外装材、その外装材を用いた屋根、壁の構築方法を提供する。【解決手段】矩形シート状をなす溝板１と、この溝板１の幅方向の一端につながる下重ね合わせ部２と、溝板１の幅方向の他端につながる上重ね合わせ部３とを備え、隣接配置する外装材の下重ね合わせ部２、上重ね合わせ部３をそれぞれ相互に重ね合わせて建築物の屋根または壁を構築する外装材において、下重ね合わせ部２を、傾斜側壁２ａと、下重ね合わせ部の頂部を形成する天壁２ｂと、この天壁２ｂの端縁２ｂ１に起立姿勢でつながる垂直壁２ｃと、折り返し片２ｄを有する底壁２ａとで構成し、上重ね合わせ部３を、一傾斜側壁３ａと、上重ね合わせ部３の頂部を形成する天壁３ｂと、この天壁３ｂの端縁３ｂ１につながり、前記隣接配置する外装材の下重ね合わせ部の外表面に合わさる片持ち舌片３ｃで構成する。【選択図】図１
2017078250.tif 000002
【特許請求の範囲】
【請求項１】
矩形シート状をなす溝板と、この溝板の幅方向の一端につながる下重ね合わせ部と、該溝板の幅方向の他端につながる上重ね合わせ部とを備え、隣接配置する外装材の上重ね合わせ部、下重ね合わせ部との相互間で該下重ね合わせ部、該上重ね合わせ部をそれぞれ相互に重ね合わせて建築物の屋根または壁を構築する外装材であって、
前記下重ね合わせ部は、一端が前記溝板の端部につながり、該端部から幅方向外側に向けて立ち上がる傾斜側壁と、この傾斜側壁の立ち上がり端につながり、該下重ね合わせ部の頂部を形成する天壁と、この天壁の端縁に起立姿勢でつながる垂直壁と、一端が該垂直壁の下端に水平姿勢でつながり、他端に該垂直壁と平行に折り返された折り返し片を有する底壁とからなり、
前記上重ね合わせ部は、一端が前記溝板の端部につながり、該端部から幅方向外側に向けて立ち上がる傾斜側壁と、この傾斜側壁の立ち上がり端につながり、該上重ね合わせ部の頂部を形成する天壁と、この天壁の端縁につながり、前記隣接配置する外装材の下重ね合わせ部の外表面に合わさる片持ち舌片からなることを特徴とする建築物の外装材。
【請求項２】
前記下重ね合わせ部の天壁は、前記上重ね合わせ部の天壁の１／２倍までの幅を有することを特徴とする請求項１に記載した建築物の外装材。
【請求項３】
前記上重ね合わせ部は、該上重ね合わせ部の天壁と傾斜側壁との相互間に垂直壁部を有することを特徴とする請求項１または２に記載した建築物の外装材。
【請求項４】
前記垂直壁部は、その上端部にオーバーハング部を有する請求項３に記載した建築物の外装材。
【請求項５】
請求項１〜４の何れか１項に記載した外装材を複数枚用いて建築物の屋根または壁を構築するに当たり、
前記隣接配置する外装材の下重ね合わせ部に前記外装材の上重ね合わせ部を重ね合わせるとともに、該外装材の前記下重ね合わせ部の底壁を母屋に固定し、次いで、該母屋に固定された外装材の下重ね合わせ部に、隣接配置する外装材の上重ね合わせ部を重ね合わせ、さらに、その重ね合わせ部分を相互に機械的に接続する作業を一工程として、その工程を複数回にわたって繰り返すことにより建築物の屋根または壁を構築することを特徴とする建築物の屋根または壁の構築方法。
【請求項６】
前記接続は、外装材の下重ね合わせ部の天壁と、隣接配置する外装材の上重ね合わせ部の天壁との相互間で締結手段を介して行われるものであることを特徴とする請求項５に記載した建築物の屋根または壁の構築方法。
【請求項７】
請求項３または請求項４に記載した外装材を複数枚用いて建築物の屋根または壁を構築するに当たり、
前記隣接配置する外装材の下重ね合わせ部に前記外装材の上重ね合わせ部を重ね合わせるとともに、該外装材の前記下重ね合わせ部の底壁を母屋に固定し、次いで、該母屋に固定された外装材の下重ね合わせ部に、隣接配置する外装材の上重ね合わせ部を重ね合わせ、さらに、該下重ね合わせ部の垂直壁と、該隣接配置する外装材の上重ね合わせ部の垂直壁部とを相互に機械的に接続する作業を一工程とし、その工程を複数回にわたって繰り返すことにより建築物の屋根または壁を構築することを特徴とする建築物の屋根または壁の構築方法。
【請求項８】
前記接続は、締結手段を介して行われるものである請求項７に記載した建築物の屋根または壁の構築方法。
【発明の詳細な説明】
【技術分野】
【０００１】
本発明は、建築物の屋根や壁を構築するのに用いて好適な金属製の外装材およびその外装材を用いた屋根または壁の構築方法に関するものである。
【背景技術】
【０００２】
矩形状の金属シート材に折曲げ加工を施すことによって製造される長尺の金属製の折板屋根あるいは金属製の外壁材は、比較的軽微なロール成形によって連続生産が可能で経済性に優れており、折曲げ寸法、角度を適切に設計することによって必要な構造性能を確保できる利点を有していることから、工場、倉庫、事務所、住宅などの建築物の外装材として広く使用されている。
【０００３】
とくに、外装材を金属折板屋根として用いる施工では、折板屋根本体の取付けに先行してタイトフレーム（折板屋根本体の厚さの２倍以上の厚さを有する別部材）を所定の間隔で鉄骨などの母屋に溶接またはねじ止め固定し、該タイトフレームの山部と折板屋根本体の山部をボルト、ナットを介して直接固定するか、あるいは、該タイトフレームに固定した吊り子（ねじ止めによるもの）を介して折板屋根本体の端縁をハゼ締めするのが一般的である。
【０００４】
ところで、近年、この種の外装材にあっては、図９に示すように、外装材の端面を下方に延長してそれを母屋へ直接接続する形式の外装材およびそれを用いた工法が提案されており、この点に関しては例えば、先行文献１が参照される。
【先行技術文献】
【特許文献】
【０００５】
【特許文献１】特許第５３４５２５号公報
【発明の概要】
【発明が解決しようとする課題】
【０００６】
上記文献に開示された技術は、ロール成形機で主要な部材を一度に成形することが可能で、しかも、タイトフレームの取付け作業を省略できる長所を有しており、極めて有用な外装材として期待されるものであるところ、以下のような問題点が残されていた。
【０００７】
すなわち、脚部の、母屋への接続を、ドリルねじなどの締結手段を用いて行うため、ねじ打ち位置の直上には、インパクトドライバーの作業空間を確保しておかなければならないことから、外装材は、必然的にその山部中心（外装材の嵌合部中心）から偏った位置で固定せざるを得ない。
【０００８】
軽量で比較的剛性の小さい金属製の外装材にとって最も配慮すべき構造設計事項は、風荷重である。台風、爆弾低気圧などの暴風時において建物の屋根、外壁面には強い引き剥がし力が作用するため、該外装材は、これに耐えられる設計、製造、施工をしなければならない。
【０００９】
建築基準法においてはその設計荷重が定められており、例えば、平均風速３８ｍ／ｓの地域で、高さ２０ｍのフラット屋根においては最大３２００Ｐａもの風荷重が作用するものとして設計することが求められる。
【００１０】
ところで、上記先行文献１において開示されている外装材（折板屋根材）にあっては、外装材の、母屋への接続位置は、図１０に示すように、風荷重の合力、作用位置となる外装材の山部中心から離れた位置にあるため、強い風圧が作用すると外装材の山部の中心は、外装材の接続位置に近接するように斜め上方に移動し、外装材の山部が起立するように回転変形が生じる。そしてそのとき、外装材同士をつなぎ合わせる嵌合部の掛かり代が失われ、該嵌合部が、図１１に示すように、容易に外れてしまう不具合を有している。
【００１１】
本発明の課題は、タイトフレームレス化を図って効率的な施工を実現することができるだけでなく、近年、益々強力化する台風、爆弾低気圧に対しても十分に対応し得る耐風圧性能の高い外装材、その外装材を用いた屋根、壁の構築方法を提案するところある。
【課題を解決するための手段】
【００１２】
本発明は、矩形シート状をなす溝板と、この溝板の幅方向の一端につながる下重ね合わせ部と、該溝板の幅方向の他端につながる上重ね合わせ部とを備え、隣接配置する外装材の上重ね合わせ部、下重ね合わせ部との相互間で該下重ね合わせ部、該上重ね合わせ部をそれぞれ相互に重ね合わせて建築物の屋根または壁を構築する外装材であって、
前記下重ね合わせ部は、一端が前記溝板の端部につながり、該端部から幅方向外側に向けて立ち上がる傾斜側壁と、この傾斜側壁の立ち上がり端につながり、該下重ね合わせ部の頂部を形成する天壁と、この天壁の端縁に起立姿勢でつながる垂直壁と、一端が該垂直壁の下端に水平姿勢でつながり、他端に該垂直壁と平行に折り返された折り返し片を有する底壁とからなり、
前記上重ね合わせ部は、一端が前記溝板の端部につながり、該端部から幅方向外側に向けて立ち上がる傾斜側壁と、この傾斜側壁の立ち上がり端につながり、該上重ね合わせ部の頂部を形成する天壁と、この天壁の端縁につながり、前記隣接配置する外装材の下重ね合わせ部の外表面に合わさる片持ち舌片からなることを特徴とする建築物の外装材である。
【００１３】
上記の構成からなる外装材においては、前記下重ね合わせ部の天壁は、前記上重ね合わせ部の天壁の１／２倍までの幅を有すること、
前記上重ね合わせ部は、該上重ね合わせ部の天壁と傾斜側壁との相互間に垂直壁部を有すること、さらに、該垂直壁部は、その上端部にオーバーハング部を有することが好ましい。
【００１４】
また、本発明は、上記外装材を複数枚用いて建築物の屋根または壁を構築するに当たり、
前記隣接配置する外装材の下重ね合わせ部に前記外装材の上重ね合わせ部を重ね合わせるとともに、該外装材の前記下重ね合わせ部の底壁を母屋に固定し、次いで、該母屋に固定された外装材の下重ね合わせ部に、隣接配置する外装材の上重ね合わせ部を重ね合わせ、さらに、その重ね合わせ部分（上重ね合わせ部と隣接配置する外装材の下重ね合わせ部との重ね合わせ部分、下重ね合わせ部と隣接する外装材の上重ね合わせ部との重ね合わせ部分）を相互に機械的に接続する作業を一工程として、その工程を複数回にわたって繰り返すことにより建築物の屋根または壁を構築することを特徴とする建築物の屋根または壁の構築方法である。
【００１５】
上記構築方法においては、前記接続を、外装材の下重ね合わせ部の天壁と、隣接配置する外装材の上重ね合わせ部の天壁との相互間で締結手段（ワンサイドボルト、ブラインドリベット、ドリルねじ等）を介して行うことが望ましい。
【００１６】
また、本発明は、上記外装材を複数枚用いて建築物の屋根または壁を構築するに当たり、前記隣接配置する外装材の下重ね合わせ部に前記外装材の上重ね合わせ部を重ね合わせるとともに、該外装材の前記下重ね合わせ部の底壁を母屋に固定し、次いで、該母屋に固定された外装材の下重ね合わせ部に、隣接配置する外装材の上重ね合わせ部を重ね合わせ、さらに、該下重ね合わせ部の垂直壁と、該隣接配置する外装材の上重ね合わせ部の垂直壁部とを相互に機械的に接続する作業を一工程とし、その工程を複数回にわたって繰り返すことにより建築物の屋根または壁を構築することを特徴とする建築物の屋根または壁の構築方法である。なお、この構築方法における接続は、ワンサイドボルト等の締結手段を介して行うのが望ましい。
【発明の効果】
【００１７】
上記の構成からなる本発明の外装材によれば、前記下重ね合わせ部を、一端が前記溝板の端部につながり、該端部から幅方向外側に向けて立ち上がる傾斜側壁と、この傾斜側壁の立ち上がり端につながり、該下重ね合わせ部の頂部を形成する天壁と、この天壁の端縁に起立姿勢でつながる垂直壁と、一端が該垂直壁の下端に水平姿勢でつながり、他端に該垂直壁と平行に折り返された折り返し片を有する底壁とからなるものとし、前記上重ね合わせ部を、一端が前記溝板の端部につながり、該端部から幅方向外側に向けて立ち上がる傾斜側壁と、この傾斜側壁の立ち上がり端につながり、該上重ね合わせ部の頂部を形成する天壁と、この天壁の端縁につながり、前記隣接配置する外装材の下重ね合わせ部の外表面に合わさる片持ち舌片からなるもとしたことにより、外装材の母屋に対する接続位置と、外装材同士の接続位置を近接させることが可能となる。すなわち、風荷重の合力作用点を外装材の母屋に対する接続位置に近づけることが可能となり、タイトフレームの使用を省略したとしても外装材の接続が分断されるような回転変形は起こり難くなる。
【００１８】
下重ね合わせ部の天壁を、上重ね合わせ部の天壁の１／２倍までの幅を有するものとすることにより、風荷重の合力、作用点を外装材の母屋に対する接続位置により近づけることが可能となり耐風圧性能のより一層の改善が可能となる。
【００１９】
上重ね合わせ部の天壁と傾斜側壁との相互間に垂直壁部を設けることにより、隣接配置する別の外装材の下重ね合わせ部の垂直壁で面タッチさせることができ、外装材同士の容易かつ、正確な位置決めが行なえる。また、外装材同士を垂直壁部と垂直壁とで接続することにより、風荷重の合力、作用点を外装材の母屋に対する接続位置により近づけることができる。
【００２０】
垂直壁部の上端部にオーバーハング部を設けることにより、外装材同士を垂直壁部と垂直壁とで接続するとき締結手段への雨がかりを抑制することができる。
【００２１】
また、本発明によれば、隣接配置する外装材の下重ね合わせ部に外装材の上重ね合わせ部を重ね合わせるとともに、該外装材の下重ね合わせ部の底壁を母屋に固定し、次いで、該母屋に固定された外装材の下重ね合わせ部に、隣接配置する外装材の上重ね合わせ部を重ね合わせ、さらに、その重ね合わせ部分を相互に機械的に接続する作業を一工程として、その工程を複数回にわたって繰り返すことによりタイトフレームを用いることなしに外装材を母屋に固定することが可能となり、建築物の屋根または壁の効率的な構築が可能となる。
【００２２】
また、本発明によれば、下重ね合わせ部の垂直壁と、該隣接配置する外装材の上重ね合わせ部の垂直壁部とを相互に機械的に接続することにより、耐風圧性能のより一層改善された建築物の屋根または壁の構築が可能となる。
【図面の簡単な説明】
【００２３】
【図１】本発明にしたがう外装材の外観斜視図である。
【図２】図１に示した外装材の正面を示した図である。
【図３】図１に示した外装材の接続状態を模式的に示した図である。
【図４】本発明にしたがう外装材の他の例を示した図である。
【図５】本発明にしたがう外装材のさらに他の例を示した図である。
【図６】図５に示した外装材を隣接配置する外装材と接続した状態を示した図である。
【図７】本発明にしたがう外装材の他の例を隣接配置する外装材と接続した状態を示した図である。
【図８】本発明にしたがう外装材の他の例を隣接配置する外装材と接続した状態を示した図である。
【図９】従来の外装材を用いて屋根を構築した場合の接続状態を模式的に示した図である。
【図１０】図９に示した外装材につき、風荷重の合力、作用位置と、風荷重が外装材の表面に作用している状態を示した図である。
【図１１】図９に示した外装材につき、過大な風荷重が作用して外装材同士の接続が分断（嵌合部の外れ）された様子を示した図である。
【発明を実施するための形態】
【００２４】
以下、図面を参照して本発明をより具体的に説明する。
図１は、本発明に用いて好適な外装材の外観斜視図であり、図２は、その正面を示した図である。
【００２５】
本発明の外装材は、建築物の屋根あるいは壁のサイズに合わせてその複数枚を相互につなぎ合わせることによって凸部と凹部が咬合に配列された波形形状を有する屋根や壁を構築することを基本としている。以下、３枚の外装材をつなぎ合わせて建築物の屋根を構築する場合について説明する。また、本発明において「隣接配置する外装材」とは、右隣（先行して敷設される外装材）、左隣（後行において敷設される外装材）に配置される外装材を意味しており、形状や寸法等は全て同じものを使用する。外装材は、具体的には、亜鉛めっき鋼板、アルミニウム亜鉛合金めっき鋼板、アルミニウム板、ステンレス鋼板、銅板等の薄板材を用い、それを曲げ加工やプレス加工等により成形されるものである。
【００２６】
図１、２における符号１は、矩形シート状（偏平状）をなす溝板である。この溝板１は、幅方向の寸法が短く、また、長手方向の寸法が長い平面形状を有するものが用いられる。なお、溝板１は、矩形シート状をなすもの以外のものを用いることも可能であり、図示の形状に限定されない。
【００２７】
また、２は、溝板１の幅方向の一端でその長手方向の全長にわたってつながる下重ね合わせ部（山型形状をなすもの）、３は、溝板１の幅方向の他端（下重ね合わせ部２の対向位置）でその長手方向の全長にわたってつながる上重ね合わせ部（山型形状をなすもの）である。
【００２８】
下重ね合わせ部２は、一端が溝板１の端部１ａにつながり、該端部１ａから幅方向外側に向けて立ち上がる傾斜側壁２ａ（溝板１に対して５０〜６０°程度の角度を有する）と、この傾斜側壁２ａの立ち上がり端２ａ１につながり、下重ね合わせ部２の頂部を形成する天壁２ｂ（基本的には、上重ね合わせ部３の天壁（後述する）の幅よりも狭い幅を有している）と、この天壁２ｂの端縁２ｂ１に起立姿勢でつながる垂直壁２ｃと、一端が垂直壁２ｃの下端に水平姿勢でつながり、他端に垂直壁２ｃと平行に折り返された折返し片２ｄを有する平板状の底壁２ｅから構成されている。底壁２ｅは、外装材を母屋に固定する固定部として機能するものであり、この底壁２ｅに例えば締結手段としてドリルねじを溝板１の長手方向に沿い間隔をおいて複数個所でねじ込むことにより外装材は母屋に固定される。外装材を母屋に固定する場合、溝板１と母屋との間には隙間を形成することができるが（図３参照）、該溝板１を母屋に密着させて固定してもよい。
【００２９】
また、上重ね合わせ部３は、一端が溝板１の端部１ｂにつながり、該端部１ｂから幅方向外側に向けて立ち上がる傾斜側壁３ａ（下重ね合わせ部２の傾斜側壁２ａとは逆向きに立ち上るもので溝板１に対して５０〜６０°程度の角度を有する）と、この傾斜側壁３ａの立ち上がり端３ａ１につながり、上重ね合わせ部の頂部を形成する天壁３ｂと、この天壁３ｂの端縁３ｂ１につながり、隣接配置する外装材の下重ね合わせ部の外表面に合わさる片持ち舌片３ｃから構成されている。
【００３０】
図３は、左隣の外装材（先行して敷設した外装材）と、右隣の外装材（後行において敷設される外装材）を、それぞれ上重ね合わせ部３の天壁３ｂと左隣りの外装材の下重ね合わせ部２′の天壁２ｂ′、下重ね合わせ部２の天壁２ｂと右隣りの外装材の上重ね合わせ部３の天壁３ｂ′の相互間でワンサイドボルトの如き締結手段４を介して接続した状態を示した図である。外装材は、ドリルねじｎを用いて母屋ｍに固定している。
【００３１】
本発明の外装材は、外装材の母屋ｍに対する接続位置Ｐと、外装材同士の接続位置Ｐ１との水平距離Ｌを従来の外装材に比較して近接させることが可能（風荷重の合力作用点を、外装材の母屋ｍに対する接続位置Ｐにより近づけることができる）となるため、過大な風荷重が作用したとしても外装材の接続部（嵌合部）が起立するような回転変形は起こり難く、天壁３ｂ、天壁２ｂの接続部の孔（ボルトを通す孔）に塑性変形が生じて接続強度が失われない限りにおいて外装材同士の分断（離脱）を確実に抑制することができる。
【００３２】
上記の外装材を用いて建築物の屋根材を構築するには、左隣に隣接配置する外装材の下重ね合わせ部２′に外装材の上重ね合わせ部３の天壁３ｂを重ね合わせるとともに、該外装材の下重ね合わせ部２の底壁２ｅを複数のドリルねじ等で母屋ｍに固定し、次いで、該母屋ｍに固定された外装材の下重ね合わせ部２の天壁２ｂに、右隣に隣接配置する外装材の上重ね合わせ部３′の天壁３ｂ′を重ね合わせ、さらに、その重ね合わせ部分、すなわち、上重ね合わせ部３の天壁３ｂと左隣に隣接配置する外装材の下重ね合わせ部２′の天壁２ｂ′および下重ね合わせ部２の天壁２ｂと右隣に隣接配置するが外装材の上重ね合わせ部３′の天壁３ｂ′をワンサイドボルト等の締結手段４で相互に機械的に接続し、これらの作業を一工程として、その工程を複数回にわたって繰り返せばよい（建築物の壁を構築する際も同様の手順で行われる）。
【００３３】
図４は、下重ね合わせ部２の天壁２ｂの幅Ｗ２を上重ね合わせ部３の天壁３ｂの幅Ｗ３の約１／２とした、本発明にしたがう外装材の他の例を示した図である。
【００３４】
かかる外装材によれば、下重ね合わせ部２の傾斜側壁２ａに右隣に隣接配置する外装材の上重ね合わせ部３′の片持ち舌片３ｃ′が合わさるように、また、上重ね合わせ部３の片持ち舌片３ｃを左隣に隣接配置する外装材の下重ね合わせ部２′の傾斜側壁２ａ′に合わさるようにそれらを相互に接続することにより風荷重の合力、作用点を、外装材の母屋ｍに対する接続位置Ｐにより一層近づけることが可能となり、耐風圧性能が大幅に向上する。
【００３５】
なお、本発明においては、下重ね合わせ部２の天壁２ｂの幅Ｗ２を上重ね合わせ部３の天壁３ｂの幅Ｗ３の１／２倍までの範囲で変更することが可能であり、これにより、外装材同士の接続性を良好に維持しつつ耐風圧性能の改善が可能になる。
【００３６】
図５は、下重ね合わせ部２の天壁２ｂの幅Ｗ２を上重ね合わせ部３の天壁３ｂの幅Ｗ３の約１／２とし、上重ね合わせ部３の天壁３ｂと傾斜側壁３ａとの相互間に段差ｄを設けて垂直壁部３ｄを形成した例であり、図６は、図５に示した外装材の接続状況を模式的に示した図である。
【００３７】
かかる外装材によれば、耐風圧性を大幅に向上させることができるだけでなく、外装材同士を重ね合わせるとき、下重ね合わせ部２の垂直壁２ｃと隣接配置する外装材の上重ね合わせ部３′の垂直壁部３ｄ′および上重ね合わせ部３の垂直壁部３ｄと隣接配置する外装材の下重ね合わせ部２′の垂直壁２ｃ′を面タッチさせることが可能であって、これにより、簡単な作業で正確な位置決めが行なえる。なお、垂直壁部３ｄは、天壁３ｂの幅寸法を接続安定を損なうことのない範囲で狭くすることによって形成することができる。
【００３８】
図７は、外装材の下重ね合わせ部２の垂直壁２ｃおよび上重ね合わせ部３の垂直壁部３ｄと、隣接配置する外装材の上重ね合わせ部３′の垂直壁部３ｄ′およびその下重ね合わせ部２′の垂直壁２ｃ′で外装材同士を締結手段４で接続した例であり、図８は、図７の接続形態において上重ね合わせ部３の垂直壁部３ｄにオーバーハング部５を設けた例である。
【００３９】
図７、図８に示した如き構造のものにあっては、風荷重の合力、作用点を、外装材の母屋ｍに対する接続位置Ｐにほぼ一致させることが可能であり耐風圧性能が大幅に向上する。
【００４０】
とくに、図８に示すようにオーバーハング部５を設けた構造のものにあっては締結手段４の上面を覆うことが可能であるため、雨がかりを抑制することができ、外装材の止水性、耐久性を高めることができる。
【００４１】
オーバーハング部５は、上重ね合わせ部３の天壁３ｂおよび垂直壁部３ｄとの一体化を図るため折り曲げ加工により形成するのがよい。オーバーハング部５の形状については、上重ね合わせ部３の垂直壁部３ｄの上端部から傾斜側壁３ａ側にやや斜め下向きに突出させた断面形状を有するものを例として示したが、その形状について種々変更可能であり、図示のものに限定されることはない。また、オーバーハング部５の突出代も締結手段のサイズに応じて適宜変更し得る。
【産業上の利用可能性】
【００４２】
本発明によれば、タイトフレームの使用を不要にして効率的な施工を実現することが可能で、かつ、近年、益々強力化する台風、爆弾低気圧に対しても十分に対応し得る耐風圧性能の高い外装材、その外装材を用いた屋根、壁の構築方法が提供できる。
【符号の説明】
【００４３】
１      溝板
２      下重ね合わせ部
２ａ    傾斜側壁
２ｂ    天壁
２ｃ    垂直壁
２ｄ    折り返し片
２ｅ    底壁
３      上重ね合わせ部
３ａ    傾斜側壁
３ｂ    天壁
３ｃ    片持ち舌片
３ｄ    垂直壁部
４      締結手段
５      オーバーハング部
ｍ      母屋
ｎ      ドリルねじ
ｄ      段差
【図１】
2017078250.tif 000003
【図２】
2017078250.tif 000004
【図３】
2017078250.tif 000005
【図４】
2017078250.tif 000006
【図５】
2017078250.tif 000007
【図６】
2017078250.tif 000008
【図７】
2017078250.tif 000009
【図８】
2017078250.tif 000010
【図９】
2017078250.tif 000011
【図１０】
2017078250.tif 000012
【図１１】
2017078250.tif 000013